(57)【要約】【課題】少量の薬剤でも、その活性効果を各段に高めることにより、滅菌効果と安全性を同時に確保することができる薬剤処理システムの提供。【解決手段】処理用水を供給する管路１に、滅菌用の薬剤を供給する管路１ａを分岐形成し、その下流側に紫外線、オゾン、酸化チタン、クエン酸、塩酸、電解酸性水、その他の物質を単独または複数で供給する管路１ｂ、１ｃを分岐形成したことを特徴とする。なお、前記管路１の、紫外線、オゾン、酸化チタン、クエン酸、塩酸、電解酸性水、その他の物質を単独または複数で供給する管路１ｂ、１ｃの下流側を、内面酸化チタンコート管路２に接続するのが好ましい。【選択図】図１
2005238172.tif 000002
【特許請求の範囲】
【請求項１】
処理用水を供給する管路に、滅菌、消毒用の薬剤を供給する管路を分岐形成し、その下流側に紫外線、オゾン、酸化チタン、クエン酸、塩酸、電解酸性水、その他の物質を単独または複数で供給する管路を分岐形成したことを特徴とする薬剤処理システム。
【請求項２】
処理用水を供給する管路に、滅菌、消毒用の薬剤を供給する管路を分岐形成し、その下流側に紫外線、オゾン、酸化チタン、クエン酸、塩酸、電解酸性水、その他の物質を単独または複数で供給する管路を分岐形成し、その下流側に、紫外線等に照射される内面酸化チタンコート管路に接続したことを特徴とする薬剤処理システム。
【発明の詳細な説明】
【技術分野】
【０００１】
本発明は、滅菌用薬剤の効力を大幅に増強させる薬剤処理システムに関するものである。
【背景技術】
【０００２】
現在の一般的な薬剤処理においては、その殆どが薬剤の効力のみに依存するか、複数の工程をシリーズに設け、順次効能を増加させるというシステムである。その為、多くの薬剤の場合、能力を上昇させる為に、濃度がある程度必要となり、安全性や価格の点で問題が多い。また廃液等で環境問題に対しての要素も少なくない。
【０００３】
例を挙げると、滅菌・殺菌の処理に対しては、現在殆どが、塩素剤（次亜塩素酸）が使用されており、滅菌の確実性、安全性、異臭発生の点で、社会的な問題となっている。
【０００４】
近年においては、「対塩素剤」ということで、「強酸性水」や、「オゾン水」等新しい処理システムが注目されているが、確実性（滅菌能力）という基本的な問題や、施設費の高額な点等、まだ解決すべき問題点が多く存在する。
【発明の開示】
【発明が解決しようとする課題】
【０００５】
本発明は上記問題点を解消し、少量の薬剤でも、その活性効果を各段に高めることにより、滅菌効果と安全性を同時に確保することができる薬剤処理システムを提供することをその課題とする。
【課題を解決するための手段】
【０００６】
前記課題を解決するため、本発明に係る薬剤処理システムは、処理用水を供給する管路に、滅菌、消毒用の薬剤を供給する管路を分岐形成し、その下流側に紫外線、オゾン、酸化チタン、クエン酸、塩酸、電解酸性水、その他の物質を単独または複数で供給する管路を分岐形成したことを特徴とする。
【０００７】
また、本発明に係る薬剤処理システムは、処理用水を供給する管路に、滅菌、消毒用の薬剤を供給する管路を分岐形成し、その下流側に紫外線、オゾン、酸化チタン、クエン酸、塩酸、電解酸性水、その他の物質を単独または複数で供給する管路を分岐形成し、その下流側に、紫外線等に照射される内面酸化チタンコート管路に接続するようにしてもよい。
【実施例】
【０００８】
図１は本発明に係る薬剤処理システムの構成例を示す。同図において、符号１は処理される処理用液の管路で、この管路１の途中には３本の薬剤及び活性化物質供給管１ａ、１ｂ、１ｃが開口するように接続されている。また、管路１のさらに下流側には、紫外線ランプで内面を照射された内面酸化チタンコート管路２が配置接続されている。上記管路１の端部は処理容器３に接続している。
【０００９】
活性化物質供給管１ａ、１ｂ、１ｃには、それぞれ薬剤タンク４ａ、活性化剤タンク４ｂ、４ｃに接続している。また、活性化物質供給管１ａ、１ｂ、１ｃからは、それぞれジクロロ酸系薬剤（例えばピュオロジエン）、クエン酸及びオゾンが定量ポンプ５ａ、５ｂ、５ｃを経て一定量ずつ供給されるように構成されている。
【００１０】
内面酸化チタンコート管路２は、内面を酸化チタンでコーティングした管路で、実際には内面の酸化チタン面に紫外線ランプ６で紫外線が照射されるように構成されている。
【００１１】
上記処理容器３は風呂、プール、畜産関係、農作物散布用液等の貯留槽などである。
【００１２】
次に、上記薬剤処理システムの使用態様について説明すると、管路１内には処理用液が流れている。この処理用液に対し、活性化物質供給管１ａからジクロロ酸系薬剤を定量ポンプ４ａにより必要量投入する。続いて、ジクロロ酸系薬剤の効能を向上させる為に、２本の活性化物質供給管１ｂ、１ｃからクエン酸、オゾンの順に、それぞれの定量ポンプ５ａ、５ｂ、５ｃにより必要量投入する。クエン酸、オゾンにより活性化した液体は、内面酸化チタンコート管路２に至る。内面酸化チタンコート管路２では紫外線ランプ６により酸化チタンが励起している。ここで上記処理用液が活性化が発起した場を通過することにより、ジクロロ酸系薬剤はさらに強大な活性効果を有した（理論計算値で１０００倍）液体となって、処理容器３へ流れ込む。
【００１３】
なお、上記定量ポンプ５ａ、５ｂ、５ｃや内面酸化チタンコート管路２の紫外線ランプ６の制御は、通常のシステム制御によって行なえばよい。
【００１４】
次に、図３は上記薬剤処理システムの浴場用滅菌装置への応用例を示す。符号１０は既存設備の浄化装置付浴槽、１１は浴槽、１２は浄化ユニットである。浄化ユニット１２には公知の浄化装置が取り付けられている。
【００１５】
浄化装置付浴槽１０の中で循環している浴槽水（処理用液）が浄化ユニット１２で浄化されて浴槽１１へ流入するが、浄化された浴槽水は循環経路１３の途中から循環ポンプ１４の動力により、モーターバルブ１５を通り、浄化フィルタ１６でさらに浄化され、薬剤処理システム１７内に取り込まれるように構成されている。
【００１６】
薬剤処理システム１７内に取り込まれた浴槽水は投入部１８に移送される。投入部１８において定量ポンプ１９によりジクロロ酸系薬剤（ピュオロジエン）が投入され、さらに定量ポンプ２０によりクエン酸が投入され、続いてオゾン発生機２１により発生したオゾンが必要な一定量だけ投入される。なお、２２は逆止弁である。
【００１７】
全ての薬剤が投入された浴槽水は、循環ポンプ１４を通り、酸化チタンコート管路２に送り込まれる。酸化チタンコート管路２は、内面を酸化チタンで覆われており、紫外線ランプ６により紫外線を照射された酸化チタンが活性化した場を作る。薬剤が投入された浴槽水は、この活性化した場を通過した後、キャニスター２５で溶存していないオゾン等の気体を分離し、さらに三方モーター弁２６、モーターバルブ１５を通過し、浄化槽付浴槽１０の循環経路へ戻る。
【００１８】
なお、溶存しないオゾンはオゾンフィルタ２７で処理され、オゾンを含まない空気だけが排出される。
【００１９】
上記薬剤処理システムの工程によれば、ピュオロジエン８の滅菌効力をクエン酸、オゾン、紫外線、酸化チタンの活性力により、１０００倍（理論計算値）以上に増強させる効果が得られる。したがって、薬剤濃度は低くてもよいから、浴槽１０には滅菌され、薬害のない安全な水となって戻る。
【００２０】
例えば、浴槽１１を空状態にし、浴槽１１の循環口である入口と出口とをパイプで直結し、循環する循環水が浴槽１１に入らないようにする。スタートさせると薬剤濃度５ｐｐｍ、７５ミリリットル／分×１０分の条件でピュオロジエンとクエン酸を供給する。オゾン発生機は連続稼動させて１時間循環させればよい。
【００２１】
上記薬剤処理システムによれば、ピュオロジエンの滅菌効力をクエン酸、オゾン、紫外線、酸化チタンの活性力により、ピュオロジエン単体の場合よりも１０００倍（理論計算値）以上に増強させる効果が得られる。したがって、薬剤の濃度を、通常単体での必要値の少なくとも「１０〜１００００分の１」まで低減させることができるから、安全性を向上させることができるとともに、経費を削減することができる。
【００２２】
また、処理用液が流れる管路に複数の活性化物質供給管を開口させ、それぞれの活性化物質供給管から活性化物質を供給して添加するものであるから、薬剤の投入直後に、速やかに、安定的に、均一性を保持したまま、添加物質が行きわたることになり、最大限に効率の良い活性化を行なうことができる。
【産業上の利用可能性】
【００２３】
上記薬剤処理システムは、浴場用滅菌装置だけでなく、畜産関係施設の消毒装置、プール用滅菌装置、食品殺菌処理装置、廃水処理装置、飲料調理水加工装置、機能水・活性水生成装置などに応用できる。
【図面の簡単な説明】
【００２４】
【図１】本発明に係る薬剤処理システムのブロック図
【図２】薬剤処理システムの応用例のブロック図
【符号の説明】
【００２５】
１    管路
２  内面酸化チタンコート管路
１ａ、１ｂ、１ｃ    活性化物質供給管
３    処理容器
４ａ、４ｂ、４ｃ    薬剤タンク
【図１】
2005238172.tif 000003
【図２】
2005238172.tif 000004